(57)【要約】  光ディスクのコンテンツを見るときに、以前に再生を終了した位置を容易に見つけることができないという問題点を解決すること。光ディスクプレーヤは、検出モジュールおよび作成モジュールを含む。検出モジュールは、ブランチポイントか中断位置か休止位置に遭遇するべきか否か検出するために用いられる。そして、ブランチポイントまたは中断位置または休止位置に遭遇するときに、つくっているモジュールはブランチポイントまたは中断位置または休止位置の関連情報を記録する次の再生のための規定として対応するブックマークを作成するために用いる。プレーヤの再生する方法は、以下を含む。ブランチポイントか中断位置か休止位置に遭遇するべきか否か検出して、次の再生のための対応するブックマークを作成していつブランチポイント、中断位置、休止位置に遭遇するとかというブランチポイントまたは中断位置または休止位置の関連情報を記録する。
2007513445.tif 000002
【特許請求の範囲】
【請求項１】
再生するコンテンツの範囲内でのブランチポイントとの遭遇を検出するステップと、
前記再生するコンテンツのブランチポイントに遭遇したときに、それ以降の再生を規定するため当該ブランチポイントの関連情報を記録するために、対応するブックマークを作成するステップとを、
備える光ディスクを再生する方法。
【請求項２】
早送りまたは早巻戻しステップと、
早送りまたは早巻戻しの間、前記ブランチポイントに遭遇すると、ブランチポイントのブックマークを閲覧するステップと、
前記規定としての前記ブックマークの情報に従って、特定のブランチを早送りまたは早巻戻しさせるステップとを、
さらに、備える請求項１に記載の光ディスクを再生する方法。
【請求項３】
ユーザに選択を提供するためにブランチポイントに遭遇すると、ブランチポイントに対応するブックマークを提示するステップを、さらに、含む請求項１に記載の光ディスクを再生する方法。
【請求項４】
中断または休止との遭遇を検出するステップと、
再生の中断または休止に遭遇すると、次の再生の再開の規定のためのこの種の中断位置または休止位置に関係する情報を記録するために、対応するブックマークを作成するステップとを、
備える光ディスクを再生する方法。
【請求項５】
ブックマークに格納される情報が、前記2つ、光ディスクの名前またはIDのうちの少なくとも1つを含む、請求項４に記載の光ディスクを再生する方法。
【請求項６】
中断または休止位置から再生を再開するステップと、
前記2つ、前記再生の前記再開を必要とする前記光ディスクの名前またはIDのうちの少なくとも1つを読み出すステップとを、
備える、請求項５に記載の光ディスクを再生する方法。
【請求項７】
前記ブックマークに格納された情報が、光ディスクの名前またはIDを含むことが検出された場合、ブックマークの情報の閲覧が読み出されるステップと、
規定としてブックマークの情報を使用している早送りまたは早巻戻しのために特定のブランチを選択するステップとを、
備える、請求項６に記載の光ディスクを再生する方法。
【請求項８】
再生するコンテンツの範囲内でのブランチポイントとの遭遇を検出するための検出モジュールと、
ブランチポイントに遭遇すると、対応するブックマークを作成し、かつ次の再生の規定のためのこの種のブランチポイントの関連情報を記録するために用いられる作成モジュールとを、
備える、光ディスクプレーヤ。
【請求項９】
ブックマークの前記コンテンツを閲覧するために用いられ、かつ再生プロセスの規定のためにこの種のコンテンツを利用する規定モジュールを、更に、備える、請求項８に記載の光ディスクプレーヤ。
【請求項１０】
前記ブックマークが、前記ブランチポイントの前記関連情報を含む、請求項８に記載の光ディスクプレーヤ。
【請求項１１】
前記ブックマークを格納するための前記ブックマークストレージを、更に、備える、請求項８に記載の光ディスクプレーヤ。
【請求項１２】
各ブランチポイントの各ブックマークが、前記以前のブックマークを示しているリンクと次のブックマークを示しているリンクとを、備える、請求項８または９または１０または１１に記載の光ディスクプレーヤ。
【請求項１３】
中断または休止との遭遇を検出するための検出モジュールと、
前記中断または休止に遭遇すると、中断位置または休止位置の前記関連情報を記録するために、前記再生の再開のための規定として対応するブックマークを作成する作成モジュールとを、
備える、光ディスクプレーヤ。
【請求項１４】
前記ブックマークを閲覧し、かつ前記ブックマークの情報を規定として用いて特定のブランチを選ぶための規定モジュールを、更に、備える、請求項１３に記載の光ディスクプレーヤ。
【請求項１５】
前記ブックマークが、前記中断位置または前記休止位置の関連情報を備える、請求項１３に記載の光ディスクプレーヤ。
【請求項１６】
前記ブックマークを格納するためのブックマークストレージを、更に、備える、請求項１３に記載の光ディスクプレーヤ。
【発明の詳細な説明】
【技術分野】
【０００１】
本発明は、一種のプレーヤおよびその再生方法、特に、一種の光ディスクプレーヤおよびその再生方法に関する。
【背景技術】
【０００２】
光記憶技術および再生技術の発展とともに、ますます多くの光ディスクの供給者が、光ディスクのコンテンツを作る時に、ユーザが選ぶマルチブランチに、同じコンテンツを格納し、その結果、同じコンテンツ（同じ映画または学習のための同じチュートリアル）を有する光ディスクで、異なるユーザに、異なる娯楽および目的を供給する。例えば、映画には、いくつかの端部を設け、ユーザが選択するいくつかのブランチでこの映画を再生させることができる。各ブランチは、この映画の異なる端部を担うので、ユーザは、自分自身の嗜好に従って異なるブランチで同じ映画の異なる端部を見ることができる。加えて、例えば、学習のためのチュートリアルは、ユーザのレベルに従ってユーザが選択する異なるブランチに編集することができる。その結果、ユーザは、彼らのレベルおよび嗜好に従って学習するために必要とされるレベルを担うブランチを選ぶことができる。
【０００３】
通常、異なるブランチにコンテンツを格納するために用いられる上述したような光ディスクには、ブルー光ディスク、改良DVD（eDVD）などが含まれる。
【０００４】
図1に示されるように、光ディスクのコンテンツは、いくつかのセグメントに分けられて、光ディスクに格納されている。第１のセグメントA1、第2のセグメントA2、第3のセグメントA3、第4のセグメントA4、第5のセグメントA5（以下、「ブランチA」と称する）に従って光ディスクを再生する時、ユーザは、（例えば、光ディスクのコンテンツが、映画である場合）映画のシナリオおよび対応する端部を全部見るであろう。更に、ユーザは、かれらの要求に基づいて他のブランチを選び、この種の映画のコンテンツおよび異なる端部を完全に見ることもできる。例えば、第1のセグメントA1、第2のセグメントB2、第３のセグメントB3、第４のセグメントB4、第5のセグメントB5（以下、「ブランチB」と称する）というブランチに従って光ディスクを再生すると、ユーザは、この映画の他の端部を見るであろう。光ディスクを再生するためのこれらの2つの異なるブランチから明らかなように、第1のセグメントA1が第2のセグメントA2と第2のセグメントB2に分かれる時に、ブランチポイント11が形成される。もちろん、図1は、光ディスクのコンテンツを再生する際の他のブランチおよびブランチポイントも同様に示している。そして、この種のブランチ構成を有する光ディスクは、一種の既存技術であるので、ここでは詳述しない。加えて、上述したものは光ディスクの論理構造のみであるが、光ディスクの実際のコンテンツの最少単位は、無数のクリップファイル（またはコードストリーム）である。論理構造の視点から見ると、論理構造の各セグメントは、多くのクリップファイルに対応させることができ、そして、異なる論理セグメントを、同じクリップファイルに対応させることもできる。
【０００５】
上述した光ディスクを再生する間に、ブランチポイント11に遭遇すると、プレーヤは、オプション情報をスクリーンに表示して、ユーザにどのように再生するか決定を促す。ユーザは、要求に従ってブランチを選び、かつ望ましいシナリオ、端部またはレベルを選び、光ディスクのコンテンツを見ることができる。これは、ユーザが光ディスクを見る興味を向上させ、かつ娯楽性を高める。
【０００６】
光ディスクの再生中にブランチポイント11に遭遇すると、前述のプレーヤは、光ディスクを再生するために、ユーザにスクリーン上のどのブランチを選ぶべきかの決定を促す。しかしながら、再生のプロセスに、再生の中断、再生の休止、早送りおよび早巻戻しの様な特別な再生モードがある場合がある。この種の特別なモードでブランチポイントに遭遇すると、プレーヤは、ユーザにブランチの選択を促すことができない。
【０００７】
例えば、再生が中断されるかまたは休止された場合、再生は、ブランチAの第3のセグメントA3で停止する。プレーヤは、光ディスクの再生を再開するときに、それが論理位置の第3のセグメントで停止したということは知っている。しかしながら、第3のセグメントに対応するコードストリームは、他のブランチ（第4のセグメントまたは第5のセグメントさえ）の第3のセグメントを指す可能性がある。すなわち、これは、ブランチAの第3のセグメントA3またはブランチBの第3のセグメントB3を示す可能性がある。従って、どのブランチの第3のセグメントで再生を再開するかを決定するためには、プリセットされた再生値しか、用いられれるべきではない。プリセット値がブランチAの第3のセグメントA3であるならば問題は無い。もし、プリセット値が、ブランチAの第3のセグメントA3でない場合には、それは、光ディスクのコンテンツを見るユーザの興味に悪影響を及ぼす。なぜならば、映画が停止した前後でユーザが見るものが、全く互いに相関せず、かつその端部はユーザが望むものではないからである。
【０００８】
他方、光ディスクの容量が増大し、かつユーザと、光ディスク、映画、連続テレビドラマのコンテンツとの間の対話性が増大したことによって、何十時間およびそれ以上のゲームおよび学習チュートリアルが、一枚の光ディスクに保存することが可能になって来た。この結果、ユーザは、光ディスクのコンテンツの読込みを終わるまでには、常に、何度も中断、休止を行うことになろう。以前に再生を終了した位置を見つけることができないことは、ユーザには問題である。そして、このことは、光ディスクのコンテンツを読込む時にユーザの興味にも非常に悪影響を及ぼす。このような場合には、分岐構造のない光ディスクのコンテンツの終点まで直接線形に再生が、より望ましいであろう。
【０００９】
再生の中断および休止が発生すると、ユーザは、到達する必要がある最初の位置または再生位置を見つけるために、早送りまたは早巻戻をする必要がある。例えば、ユーザが、ブランチAの第4のセグメントからブランチAの第2のセグメントA2まで早巻き戻ししたいのに対し、それは、ブランチBの第2のセグメントB2に早巻き戻しされてしまう可能性がある。これは、明らかに、ユーザが望むものではないので、視聴に対するユーザの興味に悪影響を及ぼすことになろう。
【００１０】
上述したことから分かるように、プレーヤが分岐構造を有する光ディスクを再生する際、中断または休止後に再生を再開するとき、および早送りまたは早巻戻しの過程においては、分岐構造の長所は、良好に実現させることは出来ない。それどころか、多くの短所が生じ、その結果、それは光ディスクのコンテンツを見る時にユーザの興味に悪影響を及ぼす。
【００１１】
従って、前述の欠点が解決された、改良型のプレーヤおよびその再生方法が、必要である。
【発明の開示】
【課題を解決するための手段】
【００１２】
本発明によれば、中断位置、休止位置およびブランチポイントでブックマークを自動的に作成することができるプレーヤが設けられている。
【００１３】
更に、本発明によれば、中断位置、休止位置およびブランチポイントでブックマークを自動的に作成することができる再生方法が、設けられている。
【００１４】
本発明に記載されている再生する方法は、再生するコンテンツの範囲内でのブランチポイントとの遭遇を検出するステップと、前記再生するコンテンツのブランチポイントに遭遇したときに、それ以降の再生を規定するため当該ブランチポイントの関連情報を記録するために、対応するブックマークを作成するステップとを、含む。
【００１５】
本発明に記載されている再生する方法は、中断または休止との遭遇を検出するステップと、再生の中断または休止に遭遇すると、次の再生の再開の規定のためのこの種の中断位置または休止位置に関係する情報を記録するために、対応するブックマークを作成するステップとを含む。
【００１６】
本発明によるプレーヤは、検出ディバイスおよび作成ディバイスを含む。ここで、検出ディバイスは、再生コンテンツのブランチポイントとの遭遇を検出するために用いられ、そしてブランチポイントに遭遇すると、それに対応するブックマークを作成し、次の再生の規定のためのこの種のブランチポイントの関連情報を記録するために作成ディバイスが用いられる。
【００１７】
本発明によるプレーヤは、検出ディバイスおよび作成ディバイスを含む。ここで、検出ディバイスは、再生の中断または休止の遭遇を検出するために用いられ、そして中断または休止に遭遇すると、それに対応するブックマークを作成するために作成ディバイスが用いられ、そして再生の再開の規定のためにこの種の中断位置または休止位置の関連情報が記録される。
【００１８】
本発明において、プレーヤは光ディスクを再生する時に各ブランチポイントおよび中断／休止の位置で複数の情報を記録するためにブックマークを作成する。その結果、プレーヤが光ディスクを再生する時に、プレーヤがどんな状態にあっても、ブックマークによって設けられている情報に従って、光ディスクの再生の再開をするべき位置に到達し、発見され、このようにして完全な再生が達成される。
【００１９】
本発明の他の目的および達成および本発明の完全な理解は、添付の図面および請求項に関して以下の記述によってより明白でより明らかになるであろう。全ての図面において、同じ数は、同様のまたは対応する特徴および機能に対応する。
【発明を実施するための最良の形態】
【００２０】
図２は、本発明による実施例において開示されるプレーヤ20の模式的な構造を示す。プレイヤー20は、読込みディバイス21と、プロセッサ22と、ブックマークマネージャ24と、ブックマークストレージ25と、JAVAアプリケーションモジュール26（他のプログラム可能な言語のアプリケーションモジュールも適用できる）と、モジュールを閲覧している光ディスクコンテンツ27と、レジスタ28とを備えている。ここでは、読込みディバイス21は、他の要素と関連して光ディスクのコンテンツを読込むために用いられる（ここでは図示されていない。）プロセッサ22は、読込みデバイス21および他の要素の働く過程を制御するために用いられる。ブックマーク・マネージャ24は、ブックマークストレージ25、JAVAアプリケーションモジュール26、モジュール27を閲覧する光ディスクコンテンツおよびレジスタ28にそれぞれ接続されている。
【００２１】
ブックマークマネージャ24は、検出モジュール35と、作成モジュール36と、規定モジュール37とを備える。検出モジュール25は、プレーヤ20が、光ディスクを再生する際に、（図1でブランチポイント11として示されるような）ブランチポイント、中断または休止に遭遇するか否かを検出し、かつそのような状態に遭遇すると、作成モジュール36にブックマークを作成する命令を送るために、用いられる。作成モジュール36は、ブランチポイント、中断位置または休止位置の関連情報を記録し、そしてブックマークを形成するブックマークストレージ25に記録情報を格納するために用いられる（以下において詳述される）。規定モジュール37は、ブックマークのコンテンツを閲覧して、そして再生プロセス（例えば、中断、休止、早送りまたは早巻戻し）の規定のためにこの種のコンテンツを利用するために用いられる。
【００２２】
ブックマークを作成するために作成モジュール36によって記録される関連情報は、光ディスクコンテンツブラウジングモジュール27、例えば、光ディスクIDおよび名前、光ディスクコンテンツ名、再生リストIDおよび名前、再生アイテムIDおよび名前、切り抜きファイル（またはコードストリームファイル）、切り抜きファイル時間オフセット（切り抜きファイルの時間位置）、ネットワークリンク情報（URL）、バッファの情報（ここで示される）およびプレーヤ20にプレロードされて格納される情報を含む。
【００２３】
更に、ブックマーク形成のための関連情報は、（一般目的レジスター（GPRs）およびプレイヤーパラメーターレジスター（PSRs）を含む）レジスタ28からの情報、例えば、ユーザ動作パラメータ（例えば、光ディスクを再生するためにどのブランチを選択するかというコマンドのようなユーザによって入力されるコマンド）、隣接した縦の位置パラメータ、このブックマークの作成時間、オーディオ/副題およびコンテンツ分類に関連する情報（コンテンツ分類法は、再生光ディスクの選択されたコンテンツが若者に適しているかいないかということを述べる）を表す言語、JAVAアプリケーション・モジュール26（Ｃ言語または他のプログラム可能な言語のアプリケーション情報も適用可能）からの配列されたJAVAアプリケーション情報および異なるブックマークの中のリンク可能な関連情報を含む。
【００２４】
ブックマークの中の上述の連結情報は、ブックマークとその以前の／次のブックマーク（親／子供ブックマーク）との間のリンク情報に関連する。多くのブックマークがあるときに、それに応じて多くの関連があるであろう。その結果、論理ツリー構造またはチェーン構造が、ブックマークの中で形成され、そして特別な再生をするモード（例えば、中断、休止、早送りまたは早巻き戻し）にとどまるであろう。
【００２５】
ブックマークストレージ25は、ブックマーク・マネージャ24の作成モジュール36から移されるブックマークを格納するために用いられる。格納されたブックマークは、異なるブランチポイント、中断位置または休止位置を表す一つ以上のブックマーク、同じブランチポイント、中断位置または休止位置（異なる時間につくられる）の異なるブックマークを表す一つ以上のブックマークを含んでいる。例えば、それは図２に示されているブックマーク1、ブックマーク２、ブックマークMを示している。
【００２６】
光ディスクを再生する途中で、プレーヤは、一時的に各ブランチポイントのブックマークをブックマークストレージ25に保存することができ、そしてメモリを保存するために光ディスクの再生を止めた後、それらを消去することができる。また、プレーヤは、確実にブックマークをブックマークストレージ25に保存することができ、そしてブックマークを消去すべきか否かを決めるために、ユーザのためにそれを残すことができる。しかしながら、中断されるか休止されるときに作成されるブックマークは、確実にブックマークストレージ25に格納され、そしてユーザがブックマークを消去すべきか否かを決めるために保存される。
【００２７】
本発明によれば、前述ブックマークを作成する方法は2つある。第１のものは、再生プロセスのブランチポイントに遭遇すると、対応するブックマークを作成することになっていて、そして、第２のものは、再生が中断または休止されると、対応するブックマークを作成することになっている。両方法は、以下に例示されるであろう。
【００２８】
図３は、光ディスクを再生する際のブランチポイントに遭遇するときの、プレーヤ20の再生のフローチャートを示す。光ディスクの再生において（ステップS300）、プレーヤ20は、ブランチポイントに遭遇したか否かを検出し（ステップS310）、そしてブランチポイントに遭遇していない時には、光ディスクを再生し続け（ステップS340）、ブランチポイントに遭遇したときには、ブックマークを作成するであろう（ステップS320）。ブックマークは、先に記載されている情報を含んでいる。
【００２９】
その後、プレーヤは、作成されたブックマークを保存して（ステップS330）、そして光ディスクを再生し続けるであろう（ステップS340）。それから、再生を止めるべきか否かは決められなければならない（ステップS350）。再生を止める場合、再生プロセスは終わる。そうでない場合、プレーヤはブランチポイントに遭遇したか否かを検出する過程に戻って（ステップS310）、そして前述の方法を繰り返すであろう。
【００３０】
図４は、光ディスクの再生中に中断または休止したときの、プレーヤの再生するフローチャートを示す。光ディスクの再生において（ステップS400）、プレーヤは再生が中断されるか休止されるかが望ましいか否かを検出し（ステップS410）、そしてそれが望ましくないときに、光ディスクを再生し続け（ステップS470）、そして以下に記載されているステップを実行するであろう（下記の詳細な説明を参照）。または、プレーヤは、中断または休止が望ましいとき、中断位置または休止位置でブックマークを作成する（ステップS420）。そして、プレーヤは、先に記載されたすべての情報を含んでいるブックマークをブックマークストレージ25に格納し（ステップS430）、そして最後に光ディスクの再生を中断または休止する（ステップS440）。
【００３１】
中断または休止の前述の過程において（ステップS440）、プレーヤは、再生の再開が望ましいか否かを決定する（ステップS450）。そして、それが望ましくないときには、プレーヤは中断状態または休止状態を保つであろう（ステップS440）。それが望ましいときには、プレーヤは再生を再開するであろう。そして、再開プロセスは、（以下に詳細に記載される）格納されたブックマークを閲覧するモジュールを規定した後に、ブックマークの指示に基づく（ステップS460）。ここで、規定のために使用されるブックマークは、中断位置または休止位置（加えて、中断位置または休止位置に関する全てのブックマークは、スクリーン上に表示させることができる。従って、ユーザは、規定のために望ましいブックマークを選ぶことができる）で作成されるブックマークとしてもよい。
【００３２】
前述の方法によって再生を再開した後に、プレーヤは、光ディスクを再生し続けることが望ましいか否か検出し、（中断または休止が望ましくないことが確認されると、前述のステップS410は、直接この種の決定プロセスへ行くであろう）（ステップ470）。再生を継続することが好ましくない場合、直接再生を終了するであろう。光ディスクを再生し続けることが望ましいときには、プレーヤは光ディスクを再生する過程に戻って（ステップS400）、そして前述のステップを繰り返すであろう。
【００３３】
図５は、休止状態または中断状態から再開するときの、プレーヤ20の再生のフローチャートを示しており、そして再生を再開するより詳細な（図4のステップS460として示される）方法を示す。光ディスクの再生の中断状態または休止状態（ステップS500）の間、再開するために光ディスク（ステップS510）を再生するか否かは、ユーザの決定による。
【００３４】
中断状態または休止状態から再生状態に再開することが望ましくない場合、プレーヤは、中断状態または休止状態を保ち続けるであろう（ステップS500）。再生の状態を再開することが望ましいときには、プレーヤは、光ディスク名またはIDを読込み（ステップS520）、そして読まれた光ディスク名またはIDに従ってブックマークストレージ25（図２に図示）を閲覧し、そしてそれが対応する光ディスク名かIDを含んでいるブックマークを格納するか否かを知るであろう（ステップS530）。
【００３５】
読み込まれた光ディスクIDに対応するブックマークがない場合、このことは、再生が中断されるかまたは休止される前に、その光ディスクが格納されたブックマークを有するものでないことを示し、そして、プレーヤは最初から光ディスクを再生するであろう（ステップS560）。確実に、プレーヤは、再生を直接中止することもできる。
【００３６】
読込まれた光ディスク名またはIDに対応するブックマークがある場合、プレーヤは規定モジュール37（図２に示される）に関するこの種のブックマークの全ての情報を閲覧し（ステップS540）、そして光ディスクの対応するコンテンツの再生の再開を規定するための規定モジュール37によって閲覧されるブックマークの中の情報を使用するであろう（ステップS550）。例えば、原型のオーディオ、ビデオ、副題、言語多様性および配列されたJAVAアプリケーションなどを中断位置または休止位置から再開する。この場合、規定のために使用されるブックマークは、中断位置または休止位置（加えて、中断位置または休止位置に関する全てのブックマークはスクリーン上に表示されることができる。このように、ユーザは、規定のための望ましいブックマークを選ぶことができる）で作成されるブックマークとしてもよい。
【００３７】
中断状態または休止状態の他に、光ディスクを再生する際に早送りをする状態または早巻戻し状態が依然として存在する。早送りの状態および早巻き戻し状態において、場所が異なるブランチを有する光ディスクを再生する際に、到達箇所を見つけるために上記で作成されるブックマークを使用するのに必要でもある。
【００３８】
図６は、光ディスクを再生する際に早送りの状態または早巻戻しの状態におけるプレイヤー20のフローチャートを示しており、さらに、ブックマークが作成される後において以下の過程が進行する（図３に図示）。プレーヤは、光ディスクを再生し始める（ステップS600）、するとユーザの要求に従って早送りの状態または早巻戻しの状態に入る(ステップS610)。
【００３９】
早送りの状態または早巻戻しの状態において、プレーヤは、早送りまたは早巻戻しの間、ブランチポイントに遭遇したか否かを検出し（ステップS620）、ブランチポイントに遭遇しない時には早送りまたは早巻戻しを続けるであろう（ステップS640）、そしてユーザが早送りまたは早巻戻しを止めるべきか否かを決めるために選択が示される（ステップS650）。
【００４０】
ブランチポイントに遭遇すると、（図２に示される）規定モジュール37は、ブランチポイントでブックマークの情報を閲覧し（ステップS630）、そして早送りまたは早巻戻しに対して特定のブランチを選択するための規定のためのブックマークによって設けられている情報を使用するであろう。この場合、規定のために使用されるブックマークは、ブランチポイントで作成されるブックマークとしてもよい（加えて、この種のブランチポイントに関する全てのブックマークは、スクリーン上に表示させることができる。この結果、ユーザは、規定のための望ましいブックマークを選ぶことができる（ステップS640）。そして再び、ユーザが早送りか早巻戻しを止めるべきか否かを決めるために、選択が示される（ステップS650）。
【００４１】
ユーザが早送りするかまたは早巻戻しを続ける必要はないときには、早送りまたは早巻戻し場所から再生が再開される（ステップS660）。ユーザが、早送りまたは早巻戻しを続ける必要があるときには、再生は早巻戻し状態または早送り状態に戻り（ステップS610）、そして前述のステップが繰り返される。
【００４２】
図７は、光ディスクを再生する際の早送りまたは早巻戻しをする際、他の実施例の再生方法のフローチャートを示す。ユーザは、この実施例においては、到達する再生場所に従って、早送りまたは早巻戻しを選択することができ、そしてブックマークが作成されたあと、（図3に示される）前記プロセスが進行する。光ディスクを再生し（ステップS700）、そしてユーザの要求に従って早送りの状態または早巻戻しの状態に入る（ステップS710）。早送りまたは早巻戻しが到達する目的地（アドレス）は、ユーザの入力で決定される。プレーヤは、ブランチポイントに遭遇したか否かを検出するであろう（ステップS720）。ブランチポイントに遭遇しないときには、早送りか早巻戻しを続けるべきか否かをユーザが決定するために選択が提示される（ステップS770）。
【００４３】
前述の検出の後、ブランチポイントに遭遇したときには、この種のブランチポイントに関する全てのブックマークが示される（ステップS730）。ユーザは、望ましいブックマークを選ぶであろう（ステップS740）、そして、規定モジュール37は、ユーザによって選ばれるブックマークの情報を閲覧し（ステップS750）、早送りまたは早巻戻しのための特定のブランチを選択する規定のために閲覧されたブックマーク情報を使用するであろう（ステップS760）。そして、ユーザが早送りか早巻戻しを止めるべきか否かを決めるために、選択が、提示される（ステップS770）。
【００４４】
ユーザが早送りまたは早巻戻しを続ける必要がないときには、光ディスクの再生が再開される（ステップS780）。ユーザが早送りまたは早巻戻しを続けることを必要とするときには、再生が早送りまたは早巻戻しの継続に戻り（ステップS710）、そして前述のステップが繰り返される。
【００４５】
光ディスクの再生を始めると、上述したプレーヤは、光ディスクの全てのブランチポイントで自動的にブックマークを作成することができる。そしてそれは光ディスクを再生する際の早送りまたは早巻戻しに利便性を提供する。
【００４６】
光ディスクの再生において、本発明によるプレーヤは、対応する情報を記録するために各ブランチポイントおよび中断/休止位置でブックマークを作成する。その結果どんな状態にプレーヤーがあろうと、プレーヤーは、ブックマークによって設けられている情報に従って再生を再開する箇所に到着するか再開する箇所を見つけることができ、そして完全な再生を実現することができる。
【００４７】
本発明は具体例に関して記載されたが、さまざまな置換、修正および改変は、当業者にとって明らかであろう。従って、本発明は、添付の請求項によって定義された趣旨および範囲の中の、全てのこの種の置換、修正および改変を含む。
【図面の簡単な説明】
【００４８】
【図１】既存の光ディスクコンテンツの構造の略図を示す;
【図２】本発明の一実施例によるプレーヤの構造の略図を示す;
【図３】光ディスクを再生する際のブランチポイントに遭遇したときの、発明による実施例の再生のフローチャートを示す;
【図４】光ディスクを再生する際に中断位置または休止位置に遭遇したときの、本発明による実施例の再生のフローチャートを示す;
【図５】光ディスクを再生する際の中断状態または休止状態から再開するときの、本発明による実施例の再生のフローチャートを示す;
【図６】光ディスクを再生する際に早送りをするか早巻き戻しをするときの、本発明による実施例の再生のフローチャートを示す;
【図７】光ディスクを再生する際に早送りをするかまた早巻き戻しをするときの、本発明による他の実施例の再生のフローチャートを示す。
【図１】
2007513445.tif 000003
【図２】
2007513445.tif 000004
【図３】
2007513445.tif 000005
【図４】
2007513445.tif 000006
【図５】
2007513445.tif 000007
【図６】
2007513445.tif 000008
【図７】
2007513445.tif 000009
【国際調査報告】
2007513445.tif 000010
2007513445.tif 000011